【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群を有し、広角端から望遠端へのズーミングに際し、広角端に比べて望遠端において前記第１レンズ群と前記第２レンズ群の間隔が拡大し、前記第２レンズ群と前記第３レンズ群の間隔が縮小し、前記第３レンズ群と前記第４レンズ群の間隔が変化するように前記第１レンズ群乃至第４レンズ群が移動し、前記第１レンズ群はズーミングに際して像面側に凸状の軌跡を描いて移動し、前記第１レンズ群の焦点距離をｆ１、広角端と望遠端における全系の焦点距離をそれぞれｆｗ、ｆｔ、広角端から望遠端へのズーミングに伴う前記第１レンズ群の移動量をｍ１、広角端から前記第１レンズ群が最も像面側に位置するズーム位置までの前記第１レンズ群の移動量をｍ１ｍｉｄとするとき、
８．０＜ｆ１／ｆｗ＜２５．０
０．３５＜ｆ１／ｆｔ＜０．７０
０．０５＜ｍ１ｍｉｄ／｜ｍ１｜＜０．６０
なる条件を満足することを特徴とするズームレンズ。
【請求項２】
前記第５レンズ群の焦点距離をｆ５とするとき、
５．０＜ｆ５／ｆｗ＜１５．０
なる条件を満足することを特徴とする請求項１に記載のズームレンズ。
【請求項３】
広角端から望遠端へのズーミングに伴う前記第３レンズ群の移動量をｍ３、広角端から望遠端へのズーミングに伴う前記第４レンズ群の移動量をｍ４とするとき、
０．４＜ｍ４／ｍ３＜１．５
なる条件を満足することを特徴とする請求項１又は２に記載のズームレンズ。
【請求項４】
前記第２レンズ群の焦点距離をｆ２とするとき、
−１２．０＜ｆ１／ｆ２＜−４．０
なる条件を満足することを特徴とする請求項１乃至３のいずれか１項に記載のズームレンズ。
【請求項５】
広角端から望遠端へのズーミングに伴う前記第３レンズ群の移動量をｍ３とするとき、
１．０＜ｍ１／ｍ３＜２．７
なる条件を満足することを特徴とする請求項１乃至４のいずれか１項に記載のズームレンズ。
【請求項６】
前記第２レンズ群と前記第３レンズ群の間に開口絞りを有し、ズーミングに際して、前記開口絞りが前記第３レンズ群とは異なる軌跡で移動することを特徴とする請求項１乃至５のいずれか１項に記載のズームレンズ。
【請求項７】
広角端と望遠端における前記第２レンズ群の横倍率をそれぞれβ２ｗ、β２ｔ、広角端と望遠端における前記第３レンズ群の横倍率をそれぞれβ３ｗ、β３ｔとするとき、
１０＜（β２ｔ・β３ｔ）／（β２ｗ・β３ｗ）＜４０
なる条件を満足することを特徴とする請求項１乃至６のいずれか１項に記載のズームレンズ。
【請求項８】
前記第２レンズ群の焦点距離をｆ２とするとき、
−２．８＜ｆ２／ｆｗ＜−１．５
なる条件を満足することを特徴とする請求項１乃至７のいずれか１項に記載のズームレンズ。
【請求項９】
広角端と望遠端における前記第４レンズ群の横倍率をそれぞれβ４ｗ、β４ｔとするとき、
１．０＜β４ｔ／β４ｗ＜３．０
なる条件を満足することを特徴とする請求項１乃至８のいずれか１項に記載のズームレンズ。
【請求項１０】
前記第１レンズ群は正レンズと負レンズとを接合した接合レンズを有し、該接合レンズを構成する正レンズの材料のアッベ数をνｄ１ｐ、部分分散比をθｇＦ１ｐとするとき、
−０．００１６νｄ１ｐ＋０．６４１＜θｇＦ１ｐ
なる条件を満足することを特徴とする請求項１乃至９のいずれか１項に記載のズームレンズ。
【請求項１１】
望遠端において、前記第１レンズ群の最も物体側に位置するレンズ面から像面までの距離をＬｔとするとき、
０．７＜Ｌｔ／ｆｔ＜１．４
なる条件を満足することを特徴とする請求項１乃至１０のいずれか１項に記載のズームレンズ。
【請求項１２】
広角端と望遠端における前記第２レンズ群の横倍率をそれぞれβ２ｗ、β２ｔ、広角端と望遠端における前記第３レンズ群の横倍率をそれぞれβ３ｗ、β３ｔとするとき、
１．５＜（β２ｔ／β２ｗ）／（β３ｔ／β３ｗ）＜５．０
なる条件を満足することを特徴とする請求項１乃至１１のいずれか１項に記載のズームレンズ。
【請求項１３】
前記第４レンズ群は１つのレンズ成分により構成されていることを特徴とする請求項１乃至１２のいずれか１項に記載のズームレンズ。
【請求項１４】
前記第５レンズ群は、１つのレンズ成分により構成されていることを特徴とする請求項１乃至１３のいずれか１項に記載のズームレンズ。
【請求項１５】
前記第５レンズ群の像側に正又は負の屈折力の第６レンズ群を有することを特徴とする請求項１乃至１４のいずれか１項のズームレンズ。
【請求項１６】
固体撮像素子に像を形成することを特徴とする請求項１乃至１５のいずれか１項に記載のズームレンズ。
【請求項１７】
請求項１乃至１６のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００７
【補正方法】変更
【補正の内容】
【０００７】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群を有し、広角端から望遠端へのズーミングに際し、広角端に比べて望遠端において前記第１レンズ群と前記第２レンズ群の間隔が拡大し、前記第２レンズ群と前記第３レンズ群の間隔が縮小し、前記第３レンズ群と前記第４レンズ群の間隔が変化するように前記第１レンズ群乃至第４レンズ群が移動し、前記第１レンズ群はズーミングに際して像面側に凸状の軌跡を描いて移動し、前記第１レンズ群の焦点距離をｆ１、広角端と望遠端における全系の焦点距離をそれぞれｆｗ、ｆｔ、広角端から望遠端へのズーミングに伴う前記第１レンズ群の移動量をｍ１、広角端から前記第１レンズ群が最も像面側に位置するズーム位置までの前記第１レンズ群の移動量をｍ１ｍｉｄとするとき、
８．０＜ｆ１／ｆｗ＜２５．０
０．３５＜ｆ１／ｆｔ＜０．７０
０．０５＜ｍ１ｍｉｄ／｜ｍ１｜＜０．６０
なる条件を満足することを特徴としている。
【手続補正３】
【補正対象書類名】明細書
【補正対象項目名】００１４
【補正方法】変更
【補正の内容】
【００１４】
図１５は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。図１、図３、図７、図１１、図１３の実施例１、２、４、６、７のレンズ断面図において、Ｌ１は正の屈折力の第１レンズ群、Ｌ２は負の屈折力の第２レンズ群、Ｌ３は正の屈折力の第３レンズ群である。Ｌ４は負の屈折力の第４レンズ群、Ｌ５は正の屈折力の第５レンズ群である。これらの各実施例はポジティブリード型の５群ズームレンズである。
【手続補正４】
【補正対象書類名】明細書
【補正対象項目名】００１６
【補正方法】変更
【補正の内容】
【００１６】
各実施例において、ＳＰは開口絞りであり、第３レンズ群Ｌ３の物体側に配置している。Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。球面収差はｄ線、ｇ線、Ｃ線、Ｆ線について示している。非点収差図においてΔＭ,ΔＳはメリディオナル像面、サジタル像面である。倍率色収差はｇ線、Ｃ線、Ｆ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。各実施例において矢印は、広角端から望遠端へのズーミング又はフォーカスに際しての移動軌跡を示している。
【手続補正５】
【補正対象書類名】明細書
【補正対象項目名】００２０
【補正方法】変更
【補正の内容】
【００２０】
その際、広角端に比べ望遠端で第１レンズ群Ｌ１と第２レンズ群Ｌ２との間隔を拡大することで、第２レンズ群Ｌ２の変倍比を大きくしている。そして第２レンズ群Ｌ２と第３レンズ群Ｌ３との間隔を縮小するように各レンズ群を移動することで、第３レンズ群Ｌ３に変倍効果を持たせて、ズーミングに伴う球面収差や像面湾曲の変動を効果的に抑制している。また第４レンズ群Ｌ４を第３レンズ群Ｌ３と異なる軌跡で移動させて、第４レンズ群Ｌ４にも変倍分担を付与することで、ズームレンズ全系として高いズーム比を得ている。前述した５群ズームレンズや６群ズームレンズにおいて、ズーム比２０以上の高ズーム比化を図ろうとすると、望遠端において軸上色収差が多く発生してくる。これを回避するためには、変倍比に比例して第１レンズ群Ｌ１の屈折力を弱くするのが良い。
【手続補正６】
【補正対象書類名】明細書
【補正対象項目名】００４６
【補正方法】変更
【補正の内容】
【００４６】
次に、本発明の実施例１〜７に各々対応する数値実施例１〜７を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。但しＲは近軸曲率半径である。また例えば「Ｅ−Ｚ」の表示は「１０−Ｚ」を意味する。数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側のレンズ面から最終レンズ面までの距離にバックフォーカスを加えたものである。また、各数値実施例における上述した条件式との対応を表１に示す。半画角は光線とレースにより求めた値である。
【手続補正７】
【補正対象書類名】明細書
【補正対象項目名】００４７
【補正方法】変更
【補正の内容】
【００４７】
［数値実施例１］
単位 mm
面データ
面番号       r        d      nd         νd
1        121.799    1.60   1.80610    33.3           
2         49.556    4.62   1.49700    81.5           
3       -194.668    0.18                             
4         42.248    3.00   1.60311    60.6           
5        133.383  (可変)                             
6         84.974    1.00   1.88300    40.8           
7          8.369    4.26                             
8        -24.608    0.70   1.77250    49.6           
9         58.741    0.22                             
10         18.926    2.07   1.94595    18.0           
11        102.403  (可変)                             
12(絞り)    ∞     (可変)                             
13*        10.353    2.80   1.58313    59.4           
14*      -109.462    2.90                             
15         23.498    0.70   1.84666    23.9           
16          9.540    0.66                             
17         18.598    1.97   1.48749    70.2           
18        -25.104  (可変)                             
19        782.644    0.70   1.48749    70.2           
20         24.650  (可変)                             
21         17.657    1.65   1.48749    70.2           
22      -1178.697  (可変)                             
23          ∞       0.80   1.51633    64.1           
24          ∞       0.50                             
像面        ∞   
非球面データ
第13面
K = 5.51145e-001  A 4=-1.38948e-004  A 6=-8.42963e-007  A 8=-1.89369e-008  
第14面
K =-1.00023e+001  A 4= 4.54336e-005  
各種データ
ズーム比     26.79 
焦点距離       5.15     8.68    26.98   137.95  
Fナンバー      2.87     3.56     4.75     5.76  
半画角（度）   37.9     24.9     8.16     1.60  
像高           3.49     3.88     3.88     3.88  
レンズ全長    90.92    85.01   103.56   127.20  
BF            10.18    12.52    20.94    10.73  
d 5            0.78     6.37    31.22    57.27  
d11           31.79    22.02    10.64     2.46  
d12           10.87     4.78     1.08     0.80  
d18            2.59     4.26     6.26     8.71  
d20            5.68     6.01     4.38    18.20  
d22            9.15    11.50    19.92     9.70  
ズームレンズ群データ
群  始面    焦点距離  
1    1      78.27  
2    6     -10.23  
3   13      18.01  
4   19     -52.23  
5   21      35.70  
【手続補正８】
【補正対象書類名】明細書
【補正対象項目名】００４８
【補正方法】変更
【補正の内容】
【００４８】
［数値実施例２］
面データ
面番号       r        d      nd         νd
1         80.182    1.30   1.80610    33.3           
2         40.624    4.45   1.49700    81.5           
3       -170.485    0.15                             
4         34.906    3.03   1.48749    70.2           
5        119.592  (可変)                             
6        173.754    0.80   1.88300    40.8           
7          8.185    4.05                             
8        -27.621    0.65   1.71300    53.9           
9         38.562    0.15                             
10         16.494    1.88   1.94595    18.0           
11         60.078  (可変)                             
12(絞り)    ∞     (可変)                             
13*         9.219    2.84   1.58313    59.4           
14*      -108.583    2.30                             
15         20.560    0.70   1.84666    23.9           
16          8.647    0.81                             
17         25.715    1.83   1.48749    70.2           
18        -20.447  (可変)                             
19       -484.878    0.70   1.48749    70.2           
20         21.397  (可変)                             
21         15.939    1.60   1.48749    70.2           
22        420.512  (可変)                             
23          ∞       0.80   1.51633    64.1           
24          ∞       0.50                             
像面        ∞   
非球面データ
第13面
K =-2.92836e-001  A 4=-6.68119e-005  A 6=-4.40175e-009  A 8=-2.63210e-009  
第14面
K =-1.00023e+001  A 4= 5.42174e-005  
各種データ
ズーム比     26.79 
焦点距離       5.15     8.75    26.81   137.95  
Fナンバー      2.87     3.34     3.87     5.36  
半画角（度）   37.8     24.7     8.17     1.59  
像高           3.49     3.88     3.88     3.88  
レンズ全長    86.60    80.76    97.88   111.23  
BF            10.00    13.85    23.54    10.17  
d 5            0.70     5.22    27.37    47.09  
d11           31.03    18.99     4.99     1.71  
d12           10.04     7.04     8.20     1.31  
d18            4.14     4.11     1.74     7.15  
d20            3.44     4.33     4.81    16.58  
d22            8.97    12.82    22.51     9.14  
ズームレンズ群データ
群  始面    焦点距離  
1    1      65.50  
2    6      -9.49  
3   13      17.37  
4   19     -42.02  
5   21      33.94  
【手続補正９】
【補正対象書類名】明細書
【補正対象項目名】００４９
【補正方法】変更
【補正の内容】
【００４９】
［数値実施例３］
面データ
面番号       r        d      nd         νd
1         78.086    1.60   1.90366    31.3           
2         39.847    3.67   1.59282    68.6           
3        418.743    0.18                             
4         45.410    2.94   1.60311    60.6           
5        366.835  (可変)                             
6         86.051    1.00   1.88300    40.8           
7          8.932    4.86                             
8        -23.483    0.70   1.71300    53.9           
9         79.273    0.16                             
10         20.553    2.14   1.94595    18.0           
11         91.399  (可変)                             
12(絞り)    ∞     (可変)                             
13*         9.821    2.95   1.58313    59.4           
14*      -100.820    2.81                             
15         21.920    0.70   1.84666    23.9           
16          8.977    0.65                             
17         18.440    2.03   1.48749    70.2           
18        -21.144  (可変)                             
19       -213.307    0.70   1.48749    70.2           
20         21.591  (可変)                             
21         15.322    1.65   1.48749    70.2           
22        137.623  (可変)                             
23*      -362.086    0.80   1.55332    71.7           
24        132.929    1.00                             
25          ∞       0.80   1.51633    64.1           
26          ∞       0.50                             
像面        ∞   
非球面データ
第13面
K = 5.27858e-001  A 4=-1.60043e-004  A 6=-1.04638e-006  A 8=-2.61534e-008  
第14面
K =-1.00023e+001  A 4= 5.73948e-005  
第23面
K =-2.64122e+005  A 4=-9.88034e-005  A 6= 3.99352e-006  
各種データ
ズーム比     20.00 
焦点距離       5.15     8.79    23.03   103.00  
Fナンバー      2.87     3.38     3.85     5.35  
半画角（度）   37.8     24.7     9.53     2.14  
像高           3.49     3.88     3.88     3.88  
レンズ全長    90.30    83.46    95.23   113.13  
BF             2.03     2.03     2.03     2.03  
d 5            0.78     6.11    25.69    48.39  
d11           34.34    21.31     7.83     1.87  
d12           10.03     6.37     5.76     1.40  
d18            2.00     1.79     2.68     7.04  
d20            4.20     6.10     5.91    14.77  
d22            7.38    10.22    15.80     8.09  
ズームレンズ群データ
群  始面    焦点距離  
1    1      71.83  
2    6     -10.88  
3   13      16.85  
4   19     -40.18  
5   21      35.21  
6   23    -175.62  
【手続補正１０】
【補正対象書類名】明細書
【補正対象項目名】００５０
【補正方法】変更
【補正の内容】
【００５０】
［数値実施例４］
面データ
面番号       r        d      nd         νd
1        122.347    1.60   1.80610    33.3           
2         49.639    4.89   1.49700    81.5           
3       -177.205    0.18                             
4         42.896    3.00   1.60311    60.6           
5        138.111  (可変)                             
6         93.418    1.00   1.84862    40.0           
7*         7.704    5.02                             
8        -30.312    0.70   1.77250    49.6           
9         36.110    0.30                             
10         18.112    2.00   1.94595    18.0           
11         95.392  (可変)                             
12(絞り)    ∞     (可変)                             
13*        10.384    2.91   1.58313    59.4           
14*       -93.636    3.16                             
15         29.195    0.70   1.84666    23.9           
16          9.894    0.45                             
17         17.618    1.81   1.48749    70.2           
18        -19.844  (可変)                             
19        367.114    0.70   1.48749    70.2           
20         22.067  (可変)                             
21         17.549    1.65   1.48749    70.2           
22      -2151.908  (可変)                             
23          ∞       0.80   1.51633    64.1           
24          ∞     (可変)                             
像面        ∞   
非球面データ
第7面
K =-7.87705e-002  A 4=-2.08842e-005  A 6=-6.77575e-008  A 8= 5.93737e-009  A10=
-3.42438e-010  
第13面
K = 6.61411e-001  A 4=-1.47276e-004  A 6=-9.84917e-007  A 8=-2.08424e-008  
第14面
K =-1.00023e+001  A 4= 6.40118e-005  
各種データ
ズーム比     29.89 
焦点距離       4.42     7.59    23.90   132.00  
Fナンバー      2.87     3.42     4.30     5.76  
半画角（度）   42.0     27.7     9.11     1.67  
像高           3.49     3.88     3.88     3.88  
レンズ全長    91.50    85.29   102.05   127.23  
BF            10.12    11.63    19.58    10.66  
d 5            0.78     6.57    30.23    56.61  
d11           33.41    22.40     8.31     1.73  
d12           10.41     5.12     3.39     1.35  
d18            2.00     3.67     5.89     9.81  
d20            4.72     5.84     4.59    17.00  
d22            9.09    10.60    18.55     9.64  
ズームレンズ群データ
群  始面    焦点距離  
1    1      77.27  
2    6      -9.53  
3   13      17.28  
4   19     -48.19  
5   21      35.72  
【手続補正１１】
【補正対象書類名】明細書
【補正対象項目名】００５１
【補正方法】変更
【補正の内容】
【００５１】
［数値実施例５］
面データ
面番号       r        d      nd         νd
1         85.200    1.60   1.80000    29.8           
2         41.164    6.05   1.49700    81.5           
3       1981.992    0.18                             
4         42.972    3.38   1.71300    53.9           
5        163.523  (可変)                             
6        120.140    1.00   1.80400    46.6           
7          8.988    3.38                             
8         21.988    0.80   1.85960    40.4           
9*        11.179    2.96                             
10       -121.625    0.70   1.81600    46.6           
11         30.103    0.30                             
12         16.537    2.12   1.92286    18.9           
13         73.840  (可変)                             
14(絞り)    ∞     (可変)                             
15*         7.856    2.62   1.58313    59.4           
16*        21.340    3.07                             
17         17.051    0.70   1.80518    25.4           
18          8.004    0.32                             
19          9.507    2.79   1.48749    70.2           
20         -9.954  (可変)                             
21         -7.647    0.70   1.77250    49.6           
22        -16.822  (可変)                             
23         28.147    1.70   1.48749    70.2           
24        -96.067  (可変)                             
25*        68.321    1.00   1.55332    71.7           
26        153.178    1.00                             
27          ∞       0.80   1.51633    64.1           
28          ∞       0.50                             
像面        ∞   
非球面データ
第9面
K =-8.45926e-001  A 4= 3.70989e-005  A 6=-1.14391e-007  
第15面
K = 7.23287e-002  A 4=-1.12090e-004  A 6=-1.00884e-006  A 8=-3.88181e-008  
第16面
K =-1.00023e+001  A 4= 2.35114e-004  
第25面
K =-4.82923e+001  A 4=-1.50317e-004  A 6= 2.85996e-006  
各種データ
ズーム比     29.86 
焦点距離       3.95     7.34    21.44   117.99  
Fナンバー      2.77     3.34     4.34     5.76  
半画角（度）   44.9     28.2     10.1     1.86  
像高           3.49     3.88     3.88     3.88  
レンズ全長    91.75    85.38   101.15   126.62  
BF             2.03     2.03     2.03     2.03  
d 5            0.78     6.46    25.81    50.32  
d13           30.98    16.87     5.76     1.57  
d14           11.13     8.04     5.60     1.32  
d20            1.90     1.91     1.93     1.96  
d22            2.69     5.91     8.63    24.05  
d24            6.88     8.79    16.03    10.00  
ズームレンズ群データ
群  始面    焦点距離  
1    1      71.32  
2    6      -8.80  
3   15      12.65  
4   21     -18.77  
5   23      44.86  
6   25     221.96  
【手続補正１２】
【補正対象書類名】明細書
【補正対象項目名】００５２
【補正方法】変更
【補正の内容】
【００５２】
［数値実施例６］
面データ
面番号       r        d      nd         νd
1         79.548    1.40   2.00069    25.5           
2         48.163    4.93   1.49700    81.5           
3       46140.146    0.15                             
4         47.433    3.21   1.77250    49.6           
5        153.622  (可変)                             
6        180.621    1.10   1.88300    40.8           
7          9.363    4.17                             
8         77.921    1.00   1.85960    40.4           
9*        10.888    2.59                             
10         18.975    2.23   1.94595    18.0           
11        105.900  (可変)                             
12(絞り)    ∞     (可変)                             
13*         7.739    2.90   1.58313    59.4           
14*        19.349    3.62                             
15         16.658    0.70   1.80518    25.4           
16          7.512    0.22                             
17          8.191    2.59   1.48749    70.2           
18         -9.227  (可変)                             
19         -7.147    0.55   1.77250    49.6           
20        -22.848    1.00   1.48749    70.2           
21        -16.607  (可変)                             
22         29.150    1.70   1.48749    70.2           
23        -37.230  (可変)                             
24          ∞       0.80   1.51633    64.1           
25          ∞       0.80                             
像面        ∞   
非球面データ
第9面
K =-8.88155e-001  A 4=-5.86626e-005  A 6=-2.32149e-007  A 8=-3.41828e-009  
第13面
K =-2.16367e-001  A 4=-6.54315e-006  A 6= 2.96112e-007  A 8=-2.57814e-008  
第14面
K =-1.00023e+001  A 4= 3.61034e-004  
各種データ
ズーム比     29.87 
焦点距離       3.85     7.40    21.13   114.99  
Fナンバー      2.87     3.78     4.65     5.76  
半画角（度）   45.7     28.4     10.3     1.93  
像高           3.49     3.88     3.88     3.88  
レンズ全長    90.07    80.37   101.14   126.73  
BF             9.13    10.88    16.70     9.94  
d 5            0.78     4.47    26.76    53.64  
d11           37.08    21.57     7.65     1.59  
d12            5.42     1.25     2.59     1.34  
d18            1.95     2.03     2.03     2.06  
d21            1.63     6.10    11.34    24.09  
d23            7.81     9.55    15.37     8.61  
ズームレンズ群データ
群  始面    焦点距離  
1    1      74.39  
2    6      -9.18  
3   13      12.39  
4   19     -15.88  
5   22      33.82  
【手続補正１３】
【補正対象書類名】明細書
【補正対象項目名】００５３
【補正方法】変更
【補正の内容】
【００５３】
［数値実施例７］
面データ
面番号       r        d      nd         νd
1         88.341    1.40   2.00069    25.5           
2         51.711    4.76   1.49700    81.5           
3       -533.545    0.15                             
4         47.021    3.21   1.77250    49.6           
5        134.387  (可変)                             
6        222.276    1.00   1.88300    40.8           
7          9.418    3.74                             
8         33.065    1.00   1.85960    40.4           
9*         9.308    1.94                             
10         24.992    1.00   1.48749    70.2           
11         18.144    0.84                             
12         16.663    2.28   1.92286    18.9           
13         75.945  (可変)                             
14(絞り)    ∞     (可変)                             
15*         7.809    2.51   1.55332    71.7           
16*        33.977    3.17                             
17         15.741    0.70   1.80518    25.4           
18          8.129    0.42                             
19         11.872    2.28   1.48749    70.2           
20        -10.484  (可変)                             
21         -7.560    0.55   1.80400    46.6           
22         78.309    1.25   1.48749    70.2           
23        -11.119  (可変)                             
24         27.138    1.70   1.48749    70.2           
25        -33.257  (可変)                             
26          ∞       0.80   1.51633    64.1           
27          ∞       1.00                             
像面        ∞   
非球面データ
第9面
K =-2.37707e+000  A 4= 1.61662e-004  A 6=-1.57508e-006  
第15面
K =-3.51719e-001  A 4=-9.49961e-006  A 6=-4.43262e-007  A 8= 5.01439e-009  
第16面
K =-1.00023e+001  A 4= 1.75529e-004  
各種データ
ズーム比     29.56 
焦点距離       3.65     7.07    19.95   108.00  
Fナンバー      2.87     3.70     4.56     5.76  
半画角（度）   47.1     28.7     10.9     1.96  
像高           3.49     3.88     3.88     3.70  
レンズ全長    89.74    83.62    99.91   127.25  
BF             8.51     9.88    16.60     9.33  
d 5            0.70     7.53    27.32    54.61  
d13           34.88    21.32     7.34     1.60  
d14            7.78     2.89     2.71     2.38  
d20            2.61     2.72     2.72     2.79  
d23            1.36     5.38     9.31    22.64  
d25            6.98     8.35    15.08     7.81  
ズームレンズ群データ
群  始面    焦点距離  
1    1      75.11  
2    6      -8.94  
3   15      12.48  
4   21     -16.34  
5   24      30.94